(57)【要約】【課題】電話装置を用いて起動する予定のモーニングコールが動作せず、利用者に不便を与えてしまう事態を回避することを目的とする。【解決手段】回線接続部を備えた親機と、該親機と無線接続可能な子機と、を備える電話装置であって、前記親機もしくは前記子機において、いずれか一方でアラーム起動設定がなされると、アラーム起動設定を行っていない他の親機と子機へアラーム起動設定情報を送信し、更に、アラーム起動後は、アラーム起動設定を行っていない他の親機と子機へアラームが起動したことを通知する。【選択図】図４
2013048342.tif 000002
【特許請求の範囲】
【請求項１】
回線接続部を備えた親機と、該親機と無線接続可能な子機と、を備える電話装置であって、
前記親機もしくは前記子機において、いずれか一方でアラーム起動設定がなされると、アラーム起動設定を行っていない親機もしくは子機へアラーム起動設定情報を送信し、
更に、アラーム起動後は、アラーム起動設定を行っていない親機と子機へ前記親機もしくは前記子機においてアラームが起動したことを通知することを特徴とする電話装置。
【請求項２】
回線接続部を備えた親機と、該親機と無線接続可能な複数の子機と、を備える電話装置であって、
前記親機もしくは前記子機において、いずれか一方でアラーム起動設定がなされると、アラーム起動設定を行っていない親機もしくは他の子機へアラーム起動設定情報を送信し、
更に、アラーム起動後は、アラーム起動設定を行っていない親機もしくは他の子機へアラームが起動したことを通知することを特徴とする電話装置。
【請求項３】
前記電話装置は、アラームの起動時間になっても、一定時間前記子機からのアラームの起動通知を受信しなかった場合は、前記親機もしくは他の子機でアラーム音を鳴動することを特徴とする請求項１乃至２に記載の電話装置。
【発明の詳細な説明】
【技術分野】
【０００１】
本発明は、親機と子機を備えた電話装置に関するものであり、特に、親機と子機を用いて自宅等で確実にモーニングコールを行うものである。
【背景技術】
【０００２】
親機と子機からなるコードレス電話機等の子機において、予め時刻を設定しておくと、所望の時刻になると子機の表示部や、或いは音、メロディ等でアラームの起動を知らせるモーニングコールの機能が知られている。
【０００３】
例えば、特許文献１には、予め設定したアラーム時刻の数秒前に親機から子機へモーニングコールの起動通知を送ることによって子機側でアラーム音が鳴動して報知がなされ、子機側で応答しなければ親機側でアラーム音を鳴動するというものが開示されている。
【先行技術文献】
【特許文献】
【０００４】
【特許文献１】特開平５−３００１６号公報
【発明の概要】
【発明が解決しようとする課題】
【０００５】
しかしながら、仮に子機側でモーニングコールが起動するように設定していたとしても、停電や電話機の電池切れが原因による電話機の時刻未設定、また、親機から子機への時刻設定信号の送受信中に電波妨害等が原因でモーニングコールの起動に失敗することでアラーム音が鳴動しない可能性がある。
【０００６】
本願は、上記の問題点を解消すべくなされたものであり、利用者が設定した時刻にモーニングコール（アラーム音の鳴動）が動作せず利用者に不便を与えてしまう事態を回避することを目的とするものである。
【課題を解決するための手段】
【０００７】
前記課題を解決するために、本願の請求項１にかかる発明は、回線接続部を備えた親機と、該親機と無線接続可能な子機と、を備える電話装置であって、前記親機もしくは前記子機において、いずれか一方でアラーム起動設定がなされると、アラーム起動設定を行っていない親機もしくは子機へアラーム起動設定情報を送信し、更に、アラーム起動後は、アラーム起動設定を行っていない親機と子機へ前記親機もしくは前記子機においてアラームが起動したことを通知することを特徴とする。
【０００８】
また、本願の請求項２にかかる発明は、回線接続部を備えた親機と、該親機と無線接続可能な複数の子機と、を備える電話装置であって、前記親機もしくは前記子機において、いずれか一方でアラーム起動設定がなされると、アラーム起動設定を行っていない親機もしくは他の子機へアラーム起動設定情報を送信し、更に、アラーム起動後は、アラーム起動設定を行っていない親機もしくは他の子機へアラームが起動したことを通知することを特徴とする。
【０００９】
また、本願の請求項３にかかる発明は、請求項１乃至２にかかる電話装置において、前記電話装置は、アラームの起動時間になっても、一定時間前記親機もしくは前記子機からのアラームの起動通知を受信しなかった場合は、前記親機もしくは他の子機でアラーム音を鳴動することを特徴とする。
【発明の効果】
【００１０】
請求項１にかかる発明においては、親機と子機を備える電話装置を用いて、親機もしくは子機いずれか一方でアラームの起動設定がなされると、アラームの起動設定を行っていない親機もしくは子機へアラームが起動する時刻情報を通知するので、モーニングコールを起動するように設定された親機もしくは子機においてアラームが起動していない場合でも、親機もしくは子機でアラームを起動することができる。このため、自宅などの離れた場所に親機と子機を置いて使用する場合でも、モーニングコールの起動を通知することができる。
【００１１】
また、請求項２にかかる発明においては、親機と複数の子機を備える電話装置を用いて、親機もしくは複数の子機のいずれかでアラームの起動設定がなされると、アラームの起動設定を行っていない親機もしくは他の子機へアラームが起動する時刻情報を通知するので、モーニングコールを起動するように設定された親機もしくは子機においてアラームが起動していない場合でも、親機もしくは他の子機においてアラームを起動することができる。
【００１２】
また、請求項３にかかる発明においては、利用者が設定しておいたアラームの起動時間になっても、一定時間前記親機もしくは前記子機からのアラームの起動通知が来なかった場合は、前記親機もしくは他の子機でアラーム音を鳴動するため、仮にアラームの起動設定をした機器の電源がオフ状態であっても、他の親機と子機で時間管理を行なっているので、利用者が指定した時刻に確実にアラーム音の鳴動を通知することが出来る。このため、起動するはずのモーニングコールが起動しないで利用者に不便を与えてしまう事態を回避できる。
【図面の簡単な説明】
【００１３】
【図１】本発明を適用した実施例である電話装置の全体図である。
【図２】本発明を適用した実施例である電話装置の親機のブロック図である。
【図３】本発明を適用した実施例である電話装置の子機のブロック図である。
【図４】本発明の実施例で、子機を用いて親機や他の子機へモーニングコールの起動を通知する動作を示すフロー図である。
【図５】本発明の実施例で、待受け中の親機に対してモーニングコールの起動を通知した際の動作を示すフロー図である。
【発明を実施するための形態】
【００１４】
以下、本発明の具体例を実施例及び図面を用いて詳細に説明する。但し、以下に示す実施例は、本発明の技術的思想を具体化するための電話装置を例示するものであって、本発明をこの電話装置に特定することを意図するものではなく、本発明の技術的範囲は、特許請求の範囲の記載によって定められるものである。
【実施例】
【００１５】
図１は、本発明の実施例にかかる電話装置１０の全体構成を示す図である。本実施例の電話装置１０は、所謂ＩＰテレビ電話装置といわれるものであり、インターネット回線などに接続された電話装置の親機２０と、無線通信機能を介してこの親機２０と接続される２台の子機４０ａ、４０ｂとを有してなる。更に、子機４０ａ、４０ｂは、親機２０と無線接続される、所謂コードレス子機である。
【００１６】
次に、本発明の実施例にかかる電話装置１０について、本来の電話機能としての回路構成を説明する。図２は、本発明の実施例にかかる親機２０の構成を示すブロック図である。
【００１７】
親機２０は、制御部２１、回線接続部２２、表示部２３、操作部２４、メモリ部２５、カメラ部２６、ＡＣアダプタ２７、電源部２８、送信部３０、受信部３１、周波数シンセサイザー３２、送受信アンテナ３３、受話器３４などを備えて構成されている。
【００１８】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。特にＩＰ電話装置として用いるため、ＳＩＰサーバ（図示せず）との通信の制御や、音声データ、映像データ、画像データをパケットに分割して送信するための処理や、受信したパケットを正しい順序に並べ替える処理などを担う。
【００１９】
回線接続部２２は、ＩＰ電話網や公衆電話交換網やＬＡＮなどの回線を親機１０と接続するためのものである。
【００２０】
表示部２３は、液晶パネル等から構成される表示ユニットであり、制御部２１からの制御信号に応じて、電話帳データである電話番号、通話時間や、通話料金などのテキストデータ等の適宜の表示を行う。またテレビ電話の際には、相手方から回線接続部２２を介して送られてきた画像データを再生したり、相手方の電話番号や着信中である旨が表示されたりする。
【００２１】
操作部２４は、数字や文字の入力などを行うためのテンキー、発呼および通話の開始などを操作するための通話キー、通話の終了などを操作するための終話キー、電話帳の検索・登録を行うための電話帳キー、その他の各種モードを設定するための操作を行うためのモード設定キー等から構成される。なお、表示部２３の表示ユニットに例えばタッチパネルなどの入力の機能を搭載し、表示部２３を操作部２４として用いることも可能である。
【００２２】
メモリ部２５は、例えばフラッシュメモリによって構成され、氏名と電話番号とを対で複数格納可能な電話帳機能や、着信履歴や発信履歴を格納する機能等を有している。
【００２３】
電源部２８は、ＡＣアダプタ２７から所定の直流電圧を受けて、各回路構成要素に電源を供給する。
【００２４】
カメラ部２６は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子などで構成されており、カメラ部２６を介して動画あるいは静止画を撮影することができる。これら撮影した画像データは、テレビ電話の際には相手方へ送られることになり、相手方の電話機にて表示されることになる。
【００２５】
送信部３０と受信部３１は、送受信アンテナ３３を介して子機４０ａ、４０ｂとの間に無線通信による通話リンクを確立させて、信号の送受信を行う。また、周波数シンセサイザー３２は、当該子機との無線通信のための信号発振を担い、制御部２１からの制御信号によって、送信部３０と受信部３１の送受信周波数を適宜切り換える。親機２０は一定の時間間隔で親機２０の現在の状態を示す状態通知情報を子機４０ａ、４０ｂに通知する。例えば、親機２０が回線保留中か否か、あるいは留守電応答中か否かなど親機２０の状態を示す状態通知情報が子機４０ａに送信される。なお、留守電応答中とは、着信後自動的に回線接続して用件を録音し、録音動作が終了するまでの間をいう。
【００２６】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。又、操作部２４を操作することでモーニングコール機能の設定がなされた際に鳴動するアラーム音は、このスピーカより出力される。マイク（ＭＩＣ）は、音声を電気信号に増幅変換して制御部２１内の音声信号処理部に出力する。
【００２７】
次に、図３を参照しつつ、本発明の実施例にかかる子機４０ａの電話機能としての構成を説明する。尚、子機４０ｂの構成も同様であるので以下において、子機４０ｂについては省略する。
【００２８】
子機４０ａは、制御部４１、表示部４２、操作部４３、メモリ部４４、電源部４５、充電部４６、ＡＣアダプタ４７、送信部４８、受信部４９、周波数シンセサイザー５０、送受信アンテナ５１、レシーバ５２、タイマー５３などを備えて構成されている。これらの構成は基本的な機能は親機と変わらず、親機２０と異なる構成のみ以下に説明する。
【００２９】
電源部４５は、充電式のバッテリーを内蔵し、子機４０ａの各回路構成要素に電源を供給する。充電部４６は、子機４０ａが充電台（図示せず）に載置されている間、ＡＣアダプタ４７から与えられる直流電圧により電源部４５のバッテリーの充電を行う。
【００３０】
送信部４８と受信部４９は、送受信アンテナ５１を介して親機２０との間に無線通信による通話リンクを確立させて、信号の送受信を行う。また、周波数シンセサイザー５０は、当該親機２０との無線通信のための信号発振を担い、制御部４１からの制御信号によって、送信部４８と受信部４９の送受信周波数を切り換える。
【００３１】
子機４０ａは、充電台から取り上げられると、親機３０に対して自動的に発呼接続を要求するクイック通話機能を備えたものであってもよく、また、子機４０ａが充電台に載置されている時には子機の表示部４２を消灯状態にし、充電台から取り上げられると表示部４２を点灯状態にする省電力制御を行う構成であってもよい。
【００３２】
親機２０から一定の時間間隔で送信される状態通知情報を記憶するメモリ２６に記憶され、必要に応じて制御部４１により参照される。子機４０ａは、この状態通知情報に基づいて、前記親機の状態を判別し、子機４０ａからの発呼を制御する。例えば、親機２０が回線保留中あるいは留守電応答中などの所定の状態にあるか否かを判別して子機４０ａからの発呼を制限するなどの制御を行う。
【００３３】
レシーバ５２は、通話用のスピーカ（ＳＰ）とマイク（ＭＩＣ）とで構成され、スピーカ（ＳＰ）は、図示しない制御部４１内の音声信号処理部で生成された電気信号を増幅して音声として出力する。又、操作部４３を操作することでモーニングコール機能の設定がなされた際に鳴動するアラーム音は、このスピーカより出力される。マイク（ＭＩＣ）は、音声を電気信号に増幅変換して制御部２１内の音声信号処理部に出力する。
【００３４】
タイマー５３は、現在時刻を計時する機能を有する。
【００３５】
次に、本発明における実施例の電話装置１０を用いて、モーニングコールの起動を行う場合について説明する。
【００３６】
まず子機を使用して、モーニングコール機能を起動させて親機や他の子機へ通知する際の動作について説明する。図４は、子機４０ａを用いて親機２０や他の子機４０ｂへモーニングコールの起動を通知する際のフローチャートである。
【００３７】
制御部４１は、子機４０ａの操作部４３にて、モーニングコールの起動を示す（アラーム音が鳴動する）時刻の設定操作を検出すると、アラーム設定が行われる信号を検出し、メモリ部４４へアラームが起動する時刻情報を格納する（ステップＳ１）。
【００３８】
次に、制御部４１は、送信部３０を制御することで、送受信アンテナ３３を介して親機２０と子機４０ｂとの間に無線通信による通信回線が接続され、状態通知情報の送受信を行われているか否かを判定する（ステップＳ２）。親機２０と子機４０ｂいずれかと通信回線が接続されていれば、ステップＳ３へ処理を進め、親機２０と子機４０ｂのいずれとも通信回線が接続されていなければ、ステップＳ８へ処理を進める。
【００３９】
次に、制御部４１は、送信部４８を制御して、メモリ部４４へ格納されているアラーム起動時刻情報を親機２０と子機４０ｂへ送信する（ステップＳ３）。
【００４０】
次に、制御部４１は、タイマー５３を参照して、現在時刻がメモリ部４４へ格納されているアラーム起動時刻情報に基づき、アラームの起動する時刻に達しているか否かを判定する（ステップＳ４）。アラームの起動時刻に達していなければ、本処理を繰り返し（ステップＳ４のＮＯ）、アラーム起動の時刻に達していれば、ステップＳ５へ処理を進める。
【００４１】
次に、制御部４１は、アラーム起動時刻情報に基づいてアラームの起動信号を検出すると、スピーカ（ＳＰ）を制御してアラーム音を鳴動する（ステップＳ５）。
【００４２】
次に、制御部４１は、送信部３０を制御することで、送受信アンテナ３３を介して、子機４０ａにてアラームが起動したことを示す信号を親機２０と子機４０ｂへ送信する（ステップＳ６）。
【００４３】
次に、制御部４１は、操作部４３が操作されることでアラーム音の切断を示す信号を検出したか否か判定する（ステップＳ７）。アラーム音の切断を示す信号が検出されなければ、ステップＳ７の処理を繰り返し、アラーム音の切断を示す信号が検出されれば、本フローの処理を終了する。
【００４４】
制御部４１は、ステップＳ８において、タイマー５３を参照して、現在時刻がメモリ部４４へ格納されているアラーム起動時刻情報に達したか否かを判定する。アラーム音の切断を示す信号が検出されなければ、本処理を繰り返し、アラーム起動時刻に達していれば、ステップＳ９へ処理を進める。
【００４５】
制御部４１は、ステップＳ９において、メモリ部４４へ格納されたアラーム起動時刻情報に基づき、アラームの起動信号を検出すると、スピーカ（ＳＰ）を制御してアラーム音を鳴動して（ステップＳ９）、本フローの処理を終了する。
【００４６】
尚、子機４０ａから子機４０ｂへアラーム起動時刻情報を通知する際には、親機２０を介して行う。
【００４７】
続いて、子機４０ａからのモーニングコールの起動通知（アラーム起動時刻情報）を他の機器に対して通知した際の動作について説明する。ここでは、子機４０ａから待受け中の親機２０、子機４０ｂに対してモーニングコールの起動を通知した際の親機２０の動作を図５のフローチャートに沿って説明する。尚、子機４０ｂについても子機４０ａからのアラーム起動時刻情報を受信した時点で、後述の親機２０と同様な動作を同時に行うものとする。
【００４８】
親機２０の制御部２１は、子機４０ａから送信された子機４０ａにおいてアラーム設定を示すアラーム起動時刻情報の受信を検出すると（ステップＳ１１のＹＥＳ），ステップＳ１２へ処理を進め、子機４０ａからアラーム起動時刻情報を受信していなければ、本処理を起動させず、待受け状態を維持する（ステップＳ１１のＮＯ）。
【００４９】
次に制御部２１は、子機４０ａから通知されたアラーム起動時刻情報をメモリ部２５へ格納する（ステップＳ１２）。
【００５０】
制御部２１は、タイマー３５を参照して現在時刻がメモリ部２５へ格納されたアラーム起動時刻に到達したか否か判定する（ステップＳ１３）。現在時刻がアラームの起動時刻に到達していればステップＳ１４へ処理を進め、アラームの起動時刻に達していなければ、本処理を繰り返す（ステップＳ１３のＮＯ）。
【００５１】
次に、制御部２１は、子機４０ａにおいてアラームが起動したことを示す通知信号を受信したか否かを判定する。子機４０ａにおいてアラームが起動したことを示す信号を受信していなければ、ステップＳ１５へ処理を進め、子機４０ａにおいてアラームが起動したことを示す信号を受信していれば、ステップＳ１６へ処理を進める。
【００５２】
次に、制御部２１は、タイマー５３を参照して子機４０ａから通知されたアラーム起動時刻情報から一定時間（例えば、１０秒）経過したか否かを判定する（ステップＳ１５）。子機４０ａから通知されたアラーム起動時刻情報に基づいて、アラーム起動時刻から一定時間経過していれば、ステップＳ１７へ処理を進め、子機４０ａから通知されたアラーム起動時刻から一定時間が経過していなければ本処理を繰り返す。
【００５３】
制御部２１は、子機４０ａにおいてアラームが起動したことを示す信号を受信していれば、ステップＳ１２においてメモリ部４４へ格納されたアラーム起動時刻情報のリセットを行う（ステップＳ１６）。
【００５４】
制御部２１は、子機４０ａにおいてアラームが起動したことを示す信号を受信していなければ、アラーム起動時刻情報に基づいて、スピーカ（ＳＰ）５２を制御してアラーム音を鳴動させる（ステップＳ１７）。
【００５５】
次に、制御部２１は、操作部２４が操作されてアラーム音の切断を示す信号が検出されるまでアラーム音の鳴動を継続して（ステップＳ１８のＮＯ）、アラーム音が鳴動している最中に、操作部２４からの操作によってアラーム音の切断を示す信号を検出することで（ステップＳ１８のＹＥＳ）、本フローの処理を終了する。
【００５６】
尚、本実施例では、親機１台と複数の子機２台における動作例を示したが、子機については同時に５台まで増設することが可能である。これによって、例えば、いずれか1台の親機もしくは子機でアラームが起動する設定がなされた場合に、他のアラーム設定していない親機と子機に対して、アラーム起動時刻情報を送信することで、同時にアラーム音の鳴動を行うことが可能となる。
【００５７】
このように、本発明では、モーニングコールを起動する時刻になっても、親機もしくは他の子機によって確実にアラーム音を鳴動するため、指定した時刻にモーニングコールが起動せず、利用者に不便を与えてしまう事態を回避することを可能とする。
【符号の説明】
【００５８】
１０    電話装置
２０    親機
２３    回線接続部
４０ａ，４０ｂ    子機
【図１】
2013048342.tif 000003
【図２】
2013048342.tif 000004
【図３】
2013048342.tif 000005
【図４】
2013048342.tif 000006
【図５】
2013048342.tif 000007